(57)【要約】【課題】ティッシュボックスに代表される各種のボックスに対して、小型で取り付けがしやすく、しかも安定した取り付け強度が得られるボックス用ホルダを提供する。【解決手段】押し込んだ状態でボックスＴの側面に形成されている解体用切り込みＫの上方に挿入可能で、押し込みを解除すると該解体用切り込みＫの下壁Ｍの内側に復元力で圧接する弾性舌片５が切り欠き部４を介して設けられた板状の側壁部２と、該側壁部の下端から略９０度に曲がった状態で形成される各種器材への取り付け部３からなるボックス用ホルダとした。なお、取り付け部３には磁石８等が用いられる。【選択図】図３
2004097353.tif 000002
【特許請求の範囲】
【請求項１】
押し込んだ状態でボックスの側面に形成されている解体用切り込みの上方に挿入可能で、押し込みを解除すると該解体用切り込みの下壁の内側に復元力で圧接する弾性舌片が切り欠き部を介して設けられた板状の側壁部と、該側壁部の下端から略９０度に曲がった状態で形成される各種器材への取り付け部からなるボックス用ホルダ
【請求項２】
側壁部及び取り付け部は回動自在に結合されていることを特徴とする請求項１に記載のボックス用ホルダ
【請求項３】
取り付け部には磁石が配置されていることを特徴とする請求項１または２に記載のボックス用ホルダ
【請求項４】
ボックスの両側面に対応すべく、一対のボックス用ホルダで構成することを特徴とする請求項１〜３のいずれかに記載のボックス用ホルダ
【発明の詳細な説明】
【０００１】
【発明の属する技術分野】
本発明は、ティッシュ入りのボックスに代表される側面に解体用切り込みが形成されている紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等に対する取り付け用としてのボックス用ホルダは多くの構造が知られていると共に多数出願されている。その内、ティッシュボックスの長手方向の側面を利用したものとしては特開平１０−２０１６５９号公報に表されるように、ティッシュボックスの長手方向の寸法に一致、あるいは調整して一致させることのできる基片の両側端に側片を立設させ、そこに設けられた保持爪によりティッシュボックスを保持する構造や、特開２００２−１２８１６３号公報に表されるような、ティッシュボックスの長手方向の両側面に形成される解体用穴に各々差し込む二つの鉤先部付きフックとその間を連結する基材を一体的に形成したティッシュケースホルダーが公知となっている。
【特許文献１】特開平１０−２０１６５９号公報
【特許文献２】特開２００２−１２８１６３号公報
【０００３】
【発明が解決しようとする課題】
しかしながら、これら従来の構成によると、前者はティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすく、後者はティッシュケースホルダーに一体的に構成された鉤先部付きフックをティッシュボックスの両側面に形成された解体用穴に強制的に差込むためティッシュボックスが損傷しやすく、更に長さの短いボックスには対応できないものであった。また、両者共にティシュボックスの長手方向の長さと略同一の基片または基材が構成されているため大型化し、梱包や収納性で不都合が生じるものであった。
そこで、本発明は小型で取り付け作業がしやすく、しかも安定した取り付け強度も得られるボックス用ホルダ提供することを目的とする。
【０００４】
【課題を解決するための手段】
本発明は上記課題を解決するために、押し込んだ状態でボックスの側面に形成されている解体用切り込みの上方に挿入可能で、押し込みを解除すると該解体用切り込みの下壁の内側に復元力で圧接する弾性舌片が切り欠き部を介して設けられた板状の側壁部と、該側壁部の下端から略９０度に曲がった状態で形成される各種器材への取り付け部からなるボックス用ホルダであり、ボックスの解体用切り込みに簡単かつ確実に取り付けることができる。
【０００５】
なお、側壁部及び取り付け部は回動自在に結合されているように形成すれば、未使用時には薄板状のものとして梱包することができるので、梱包作業性や収納性の優れたものになる。
【０００６】
また、取り付け部に磁石を配置する構成にすると、コンパクトな形状となり、強磁性体物品に磁気吸着で簡単に取り付けることができる。
【０００７】
本発明は、小型のボックスには片方の解体用切り込み部のみで対応できるが、長い幅を有するボックス等にはボックスの両側面に対応すべく、一対のボックス用ホルダで構成するようにしても良い。
【０００８】
【発明実施の形態】
本発明におけるボックス用ホルダは、ティッシュボックス等のボックスの側面にミシン目等で設けられた解体用切り込みを利用して取り付けることを特徴とするものであり、以下実施例に沿って詳細に説明する。
【０００９】
図１及び図２は、本発明の第１の実施例を示す。
【００１０】
図１は本実施例の斜視図、図２は縦中央断面図を表したものであり、ボックス用ホルダ１は合成樹脂製で板厚が約２ｍｍ程度の略板状の側壁部２と該側壁部２の下端に略９０度に延設された取り付け部３で構成されている。
【００１１】
側壁部２には、中央部に略Ｕ字状の切り欠き部４により形成された一辺支持の弾性舌片５が形成される。この弾性舌片５の根元には円形溝状の凹部６が設けられており図２の矢印で表されるように回動作用がし易く耐久性にも優れたものとなっている。また、その下方には約２ｍｍピッチで複数のガタツキ防止突起７，７，７，７，７が設けられている。なお、弾性舌片５の下部形状は下述するボックスへの取り付け作業がしやすいように半円弧状で形成し端面も円弧状に仕上げられている。
【００１２】
取り付け部３は、ボックス用ホルダ１を各種器材に取り付けるように構成されており、本実施例においては冷蔵庫等の強磁性体物品に磁気吸着で取り付けるべく板状の磁石８が接着により取り付けられている。この板状の磁石８はハードフェライト系粉末と有機高分子粘結材からなるボンド磁石等が好ましく用いられるが、特に限定はされない。また、１枚物とする必要も無く複数で構成することは可能であり、その場合は磁力の強い小型のネオジ磁石を使用するのが好ましい。
【００１３】
次に、本実施例におけるボックス用ホルダをボックスの代表であるティッシュボックスに取り付ける場合の手順と作用について図３〜図８を用いて説明する。
【００１４】
図３に表すように、先ずボックス用ホルダ１をティッシュボックスＴの側面に近接させる。ティッシュボックスＴの側面は上折り返し面Ｄと下折り返し面Ｅの端面を重ねてその間を接着にて固定するように形成されており、上折り返し面Ｄにおける下端中央部の下部に位置する下折り返し面Ｅに、ミシン目等で解体用切り込みＫが形成されている。なお、この解体用切り込みＫの形状は図示する円弧状以外のものもあるが、以下に示すボックス用ホルダ１の取り付けにおける作用は同じであるので説明は省略する。また、図中に示すＰはティッシュ取り出し口である。
【００１５】
次に、ティッシュボックスＴにおける解体用切り込みＫの上壁Ｌを押し込んで下壁Ｍと分離させた状態とし、ボックス用ホルダ１の弾性舌片５を指で押し込んで、その下端を解体用切り込みＫに差し込みつつ下壁Ｍの内側に位置させた状態で指を離して押し込み力を解除すると、図４に示す取り付け完了状態の斜視図及び図５に示すＡ−Ａ拡大断面図のように、弾性舌片５は元の状態に復元しようとする力が作用して、ティシュボックスＴにおける解体用切り込みＫの下壁Ｍの内面に圧接する。この時、ティシュボックスＴの側面はボックス用ホルダ１の側壁部２で移動不可能に保持されているので、ティシュボックスＴの側面にはボックス用ホルダ１がその狭着力で取り付けられることになる。
【００１６】
なお、この時、図５に表されるようにティシュボックスＴの上折り返し面Ｄの下端を、ボックス用ホルダ１における弾性舌片５のガタツキ防止突起７の先端で受けるようにしておけば、より安定した取り付け状態にすることができる。
【００１７】
本実施例におけるボックス用ホルダ１は小型のボックスであれば一つの解体用切り込みＫにのみ対応するだけで良いが、ティッシュボックスのように大型の物については両側の解体用切り込みＫ，Ｋに各々対応させるのが良い。その場合、図６（ａ）の斜視図に表すようにボックス用ホルダ１の側方に側壁部２を位置させて後方に磁石８を立てた状態から、磁石８の配置方向を変えずに縦方向に１８０度回転させると図６（ｂ）に示すようにボックス用ホルダ１’は側壁部２’の弾性舌片５’をボックス用ホルダ１の側壁部２及び弾性舌片５と対称位置に配置することができるので、一対の同一形状品でボックスの両側の端面に対応させることができる。
【００１８】
従って、図７に表すティッシュボックスの表側から見た斜視図及び図８に表すティッシュボックスの裏側から見た斜視図の様に、ティッシュボックスＴの両側にはそこに設けられた解体用切り込みＫ，Ｋに対し、ボックス用ホルダ１，１’が弾性舌片５，５’を差し込むことにより取り付けられる。この状態からボックス用ホルダ１，１’に設けられた磁石８，８’を図示しない強磁性体物品に近付ければティッシュボックスＴを磁気吸着により取り付けることができる。
【００１９】
図９は第２の実施例を表したものであり、基本構成は第１の実施例と同様であるがボックス用ホルダ１１の側壁部１２と取り付け部１３とがヒンジ溝１９ａ等のヒンジ構造１９で連結されている点が異なっている。この構成によれば第１の実施例と比較し、ぐらつき易いものにはなるが実用上問題になるものではなく、未使用時においては図中矢印で示すように回動が可能なため平板状に展開させたり折り曲げることができるので、梱包がしやすくしかも嵩張らないので収納性の良いものとなる。
【００２０】
図１０は第３の実施例を表し、基本的には第２の実施例におけるヒンジ構造を蝶板構造に置き換えたものであり、作用効果はほぼ同様である。即ち、ボックス用ホルダ２１の側壁部２２と取り付け部２３とが蝶板構造２９で連結されている点が異なっている。なお、２９ａは回転ピン部であり波型ロールピンが好ましく使用されるが、側壁部２２と取り付け部２３間で一体的に凹凸部を形成して強制的に嵌め込む等その態様は任意に選択し実施することができる。
【００２１】
なお、本発明における各種器材への取り付け構造はこれまで述べた磁石以外でも変形して実施することができる。例えば、磁石に換えて両面粘着テープ等による接着構造で実施しても良いし、図１１（ａ）に表すように側壁部３３に切り欠き部３４を設けて、同部に、図示しない各種器材に形成された鉤状の突起物を引っ掛けることによる取り付け構造としても良い。また、図１１（ｂ）に表すような吸盤３６を図１１（ｃ）の断面図に示すように側壁部３３に取り付ければ吸盤による吸着力で取り付けることもできる。この時、上記切り欠き部３４を図１１（ａ）で表すような略瓢箪型切り欠き部３５に形成しておけば吸盤３６は着脱自在となるため、引っ掛け及び吸着の両構造を実施できることになる。
【００２２】
さらに、図１２に示すように磁石４８を有する取り付け部４３の上部及び下部に略瓢箪型切り欠き部４５，４５に形成すれば、磁気吸着、引っ掛け、吸着の３種類の取り付け構造を実施することもできる。なお、この略瓢箪型切り欠き部４５は同一のボックス用ホルダを二つで一対の使用を前提として上部及び下部に夫々設けたが、異なるボックス用ホルダで一対を構成する場合は、上部１箇所で行ってよいことは自明である。
【００２３】
本発明は、ティッシュボックスに使用することを主体に説明したが、それ以外でも、側面に孔部が形成された或いは形成することのできるボックスであれば良く、同様な構成から成るティッシュ以外の収納品用のボックス、薄板樹脂を紙同様に仕上げたボックス等、各種のボックスに使用することができる。
【００２４】
【発明の効果】
本発明は、ティッシュボックス等のボックスの側面に形成された一つ毎の解体用切り込み部に取り付けるボックス用ホルダとしたため、取り付け作業がしやすく、取り付けも確実にできるため安定した取り付け強度を得ることができる。
従って、小型のボックスには一つの解体用切り込み部だけで対応することができる。また、ボックスの両側に設けられた解体用切り込み部を利用する場合でも、夫々の側面に一対のボックス用ホルダを取り付ければよいことになるため、ティッシュボックス等の長手方向全体を覆う長さは必要では無く、ボックス用ホルダを小型化させる利点がある。
【図面の簡単な説明】
【図１】本発明による第１の実施例における斜視図を表す。
【図２】本発明による第１の実施例における縦中央断面図を表す。
【図３】本発明による第１の実施例におけるティッシュボックスに対するボックス用ホルダの取り付け前の斜視図を示す。
【図４】本発明による第１の実施例におけるティッシュボックスに対するボックス用ホルダの取り付け完了状態を表す斜視図を示す。
【図５】本発明による第１の実施例におけるティッシュボックスに対するボックス用ホルダの取り付け状態を表すＡ−Ａ拡大断面図を示す。
【図６】本発明による第１の実施例における斜視図を表し、（ａ）は側方に側壁部を配置し後方に磁石を立てた状態、（ｂ）は（ａ）における磁石の配置方向を変えずに１８０度回転させた場合を示す。
【図７】本発明による第１の実施例におけるティッシュボックス両側に対するボックス用ホルダの取り付け完了状態を、ティッシュボックス表面側から見た斜視図を示す。
【図８】本発明による第１の実施例におけるティッシュボックス両側に対するボックス用ホルダの取り付け完了状態を、ティッシュボックス裏面側から見た斜視図を示す。
【図９】本発明による第２の実施例における斜視図示す。
【図１０】本発明による第３の実施例における斜視図示す。
【図１１】本発明による取り付け構造の変形例を表し、（ａ）は切り欠き部形状を表す取り付け部の略図、（ｂ）は吸盤の斜視図、（ｃ）は吸盤取り付け状態の中央断面図を示す。
【図１２】本発明による取り付け構造の他の変形例を表す、取り付け部の正面図を示す。
【符号の説明】
Ｔ　ティッシュボックス
Ｄ　上折り返し面
Ｅ　下折り返し面
ｋ　解体用切り込み
Ｌ　上壁
Ｍ　下壁
Ｐ　ティッシュ取り出し口
１、１’、１１、２１　ボックス用ホルダ
２、１２、２２　側壁部
３、１３、２３、３３、４３　取り付け部
４　切り欠き部
５　弾性舌片
６　凹部
７　ガタツキ防止突起
８、４８　磁石
１９　ヒンジ
１９ａ　ヒンジ溝
２９　蝶板構造
２９ａ　回転ピン部
３４　切り欠き部
３５、４５　略瓢箪型切り欠き部
３６　吸盤
【図１】
2004097353.tif 000003
【図２】
2004097353.tif 000004
【図３】
2004097353.tif 000005
【図４】
2004097353.tif 000006
【図５】
2004097353.tif 000007
【図６】
2004097353.tif 000008
【図７】
2004097353.tif 000009
【図８】
2004097353.tif 000010
【図９】
2004097353.tif 000011
【図１０】
2004097353.tif 000012
【図１１】
2004097353.tif 000013
【図１２】
2004097353.tif 000014
【手続補正書】
【提出日】平成15年8月19日(2003.8.19)
【手続補正１】
【補正対象書類名】明細書
【補正対象項目名】全文
【補正方法】変更
【補正の内容】
【特許請求の範囲】
【請求項１】押し込んだ状態でボックスの側面に形成されている解体用切り込みの上方に挿入可能で、押し込みを解除すると該解体用切り込みの下壁の内側に復元力で圧接する弾性舌片が切り欠き部を介して設けられた板状の側壁部と、該側壁部の下端から略９０度に曲がった状態で形成される各種器材への取り付け部からなるボックス用ホルダ
【請求項２】側壁部及び取り付け部は回動自在に結合されていることを特徴とする請求項１に記載のボックス用ホルダ
【請求項３】取り付け部には磁石が配置されていることを特徴とする請求項１または２に記載のボックス用ホルダ
【請求項４】ボックスの両側面に対応すべく、一対のボックス用ホルダで構成することを特徴とする請求項１〜３のいずれかに記載のボックス用ホルダ
【発明の詳細な説明】
【０００１】
【発明の属する技術分野】
本発明は、ティッシュ入りのボックスに代表される側面に解体用切り込みが形成されている紙板製等のボックスを、冷蔵庫等の強磁性体製の被着物品や他の非磁性の物品等多くの被着物品に取り付けるのに適したボックス用ホルダに関するものである。
【０００２】
【従来の技術】
従来から、ティッシュボックス等に対する取り付け用としてのボックス用ホルダは多くの構造が知られていると共に多数出願されている。その内、ティッシュボックスの長手方向の側面を利用したものとしては、ティッシュボックスの長手方向の寸法に一致、あるいは調整して一致させることのできる基片の両側端に側片を立設させ、そこに設けられた保持爪によりティッシュボックスを保持する構造が知られている（特許文献１参照）。また、ティッシュボックスの長手方向の両側面に形成される解体用穴に各々差し込む二つの鉤先部付きフックとその間を連結する基材を一体的に形成したティッシュケースホルダーも公知である（特許文献２参照）。
【０００３】
【特許文献１】
特開平１０−２０１６５９号公報（第２−３頁、第１−６図）
【特許文献２】
特開２００２−１２８１６３号公報（第２−３頁、第１−４図）
【０００４】
【発明が解決しようとする課題】
しかしながら、これら従来の構成によると、特許文献１に開示される構造においては、ティッシュボックス側面を保持爪等を用いて押込んで取り付ける構造のため、確実な取り付け状態が判りにくくて不充分な取り付けとなったり、押込みすぎてティッシュボックスを潰すなどの不都合を生じやすく、また、特許文献２に開示される構造においては、ティッシュケースホルダーに一体的に構成された鉤先部付きフックをティッシュボックスの両側面に形成された解体用穴に強制的に差込むため、ティッシュボックスが損傷しやすく、更に長さの短いボックスには対応できないものであった。また、二つの特許文献に開示される構造共に、ティシュボックスの長手方向の長さと略同一の基片または基材が構成されているため大型化し、梱包や収納性で不都合が生じるものであった。そこで、本発明は小型で取り付け作業がしやすく、しかも安定した取り付け強度も得られるボックス用ホルダ提供することを目的とする。
【０００５】
【課題を解決するための手段】
本発明は上記課題を解決するために、押し込んだ状態でボックスの側面に形成されている解体用切り込みの上方に挿入可能で、押し込みを解除すると該解体用切り込みの下壁の内側に復元力で圧接する弾性舌片が切り欠き部を介して設けられた板状の側壁部と、該側壁部の下端から略９０度に曲がった状態で形成される各種器材への取り付け部からなるボックス用ホルダであり、ボックスの解体用切り込みに簡単かつ確実に取り付けることができる。
【０００６】
なお、側壁部及び取り付け部は回動自在に結合されているように形成すれば、未使用時には薄板状のものとして梱包することができるので、梱包作業性や収納性の優れたものになる。
【０００７】
また、取り付け部に磁石を配置する構成にすると、コンパクトな形状となり、強磁性体物品に磁気吸着で簡単に取り付けることができる。
【０００８】
本発明は、小型のボックスには片方の解体用切り込み部のみで対応できるが、長い幅を有するボックス等にはボックスの両側面に対応すべく、一対のボックス用ホルダで構成するようにしても良い。
【０００９】
【発明実施の形態】
本発明におけるボックス用ホルダは、ティッシュボックス等のボックスの側面にミシン目等で設けられた解体用切り込みを利用して取り付けることを特徴とするものであり、以下実施例に沿って詳細に説明する。
【００１０】
図１及び図２は、本発明の第１の実施例を示す。
【００１１】
図１は本実施例の斜視図、図２は縦中央断面図を表したものであり、ボックス用ホルダ１は合成樹脂製で板厚が約２ｍｍ程度の略板状の側壁部２と該側壁部２の下端に略９０度に延設された取り付け部３で構成されている。
【００１２】
側壁部２には、中央部に略Ｕ字状の切り欠き部４により形成された一辺支持の弾性舌片５が形成される。この弾性舌片５の根元には円形溝状の凹部６が設けられており図２の矢印で表されるように回動作用がし易く耐久性にも優れたものとなっている。また、その下方には約２ｍｍピッチで複数のガタツキ防止突起７，７，７，７，７が設けられている。なお、弾性舌片５の下部形状は下述するボックスへの取り付け作業がしやすいように半円弧状で形成し端面も円弧状に仕上げられている。
【００１３】
取り付け部３は、ボックス用ホルダ１を各種器材に取り付けるように構成されており、本実施例においては冷蔵庫等の強磁性体物品に磁気吸着で取り付けるべく板状の磁石８が接着により取り付けられている。この板状の磁石８はハードフェライト系粉末と有機高分子粘結材からなるボンド磁石等が好ましく用いられるが、特に限定はされない。また、１枚物とする必要も無く複数で構成することは可能であり、その場合は磁力の強い小型のネオジ磁石を使用するのが好ましい。
【００１４】
次に、本実施例におけるボックス用ホルダをボックスの代表であるティッシュボックスに取り付ける場合の手順と作用について図３〜図８を用いて説明する。
【００１５】
図３に表すように、先ずボックス用ホルダ１をティッシュボックスＴの側面に近接させる。ティッシュボックスＴの側面は上折り返し面Ｄと下折り返し面Ｅの端面を重ねてその間を接着にて固定するように形成されており、上折り返し面Ｄにおける下端中央部の下部に位置する下折り返し面Ｅに、ミシン目等で解体用切り込みＫが形成されている。なお、この解体用切り込みＫの形状は図示する円弧状以外のものもあるが、以下に示すボックス用ホルダ１の取り付けにおける作用は同じであるので説明は省略する。また、図中に示すＰはティッシュ取り出し口である。
【００１６】
次に、ティッシュボックスＴにおける解体用切り込みＫの上壁Ｌを押し込んで下壁Ｍと分離させた状態とし、ボックス用ホルダ１の弾性舌片５を指で押し込んで、その下端を解体用切り込みＫに差し込みつつ下壁Ｍの内側に位置させた状態で指を離して押し込み力を解除すると、図４に示す取り付け完了状態の斜視図及び図５に示すＡ−Ａ拡大断面図のように、弾性舌片５は元の状態に復元しようとする力が作用して、ティシュボックスＴにおける解体用切り込みＫの下壁Ｍの内面に圧接する。この時、ティシュボックスＴの側面はボックス用ホルダ１の側壁部２で移動不可能に保持されているので、ティシュボックスＴの側面にはボックス用ホルダ１がその挟着力で取り付けられることになる。
【００１７】
なお、この時、図５に表されるようにティシュボックスＴの上折り返し面Ｄの下端を、ボックス用ホルダ１における弾性舌片５のガタツキ防止突起７の先端で受けるようにしておけば、より安定した取り付け状態にすることができる。
【００１８】
本実施例におけるボックス用ホルダ１は小型のボックスであれば一つの解体用切り込みＫにのみ対応するだけで良いが、ティッシュボックスのように大型の物については両側の解体用切り込みＫ，Ｋに各々対応させるのが良い。その場合、図６（ａ）の斜視図に表すようにボックス用ホルダ１の側方に側壁部２を位置させて後方に磁石８を立てた状態から、磁石８の配置方向を変えずに縦方向に１８０度回転させると図６（ｂ）に示すようにボックス用ホルダ１´は側壁部２´の弾性舌片５´をボックス用ホルダ１の側壁部２及び弾性舌片５と対称位置に配置することができるので、一対の同一形状品でボックスの両側の端面に対応させることができる。
【００１９】
従って、図７に表すティッシュボックスの表側から見た斜視図及び図８に表すティッシュボックスの裏側から見た斜視図の様に、ティッシュボックスＴの両側にはそこに設けられた解体用切り込みＫ，Ｋに対し、ボックス用ホルダ１，１´が弾性舌片５，５´を差し込むことにより取り付けられる。この状態からボックス用ホルダ１，１´に設けられた磁石８，８´を図示しない強磁性体物品に近付ければティッシュボックスＴを磁気吸着により取り付けることができる。
【００２０】
図９は第２の実施例を表したものであり、基本構成は第１の実施例と同様であるがボックス用ホルダ１１の側壁部１２と取り付け部１３とがヒンジ溝１９ａ等のヒンジ構造１９で連結されている点が異なっている。この構成によれば第１の実施例と比較し、ぐらつき易いものにはなるが実用上問題になるものではなく、未使用時においては図中矢印で示すように回動が可能なため平板状に展開させたり折り曲げることができるので、梱包がしやすくしかも嵩張らないので収納性の良いものとなる。
【００２１】
図１０は第３の実施例を表し、基本的には第２の実施例におけるヒンジ構造を蝶板構造に置き換えたものであり、作用効果はほぼ同様である。即ち、ボックス用ホルダ２１の側壁部２２と取り付け部２３とが蝶板構造２９で連結されている点が異なっている。なお、２９ａは回転ピン部であり波型ロールピンが好ましく使用されるが、側壁部２２と取り付け部２３間で一体的に凹凸部を形成して強制的に嵌め込む等その態様は任意に選択し実施することができる。
【００２２】
なお、本発明における各種器材への取り付け構造はこれまで述べた磁石以外でも変形して実施することができる。例えば、磁石に換えて両面粘着テープ等による接着構造で実施しても良いし、図１１（ａ）に表すように側壁部３３に切り欠き部３４を設けて、同部に、図示しない各種器材に形成された鉤状の突起物を引っ掛けることによる取り付け構造としても良い。また、図１１（ｂ）に表すような吸盤３６を図１１（ｃ）の断面図に示すように側壁部３３に取り付ければ吸盤による吸着力で取り付けることもできる。この時、上記切り欠き部３４を図１１（ａ）で表すような略瓢箪型切り欠き部３５に形成しておけば吸盤３６は着脱自在となるため、引っ掛け及び吸着の両構造を実施できることになる。
【００２３】
さらに、図１２に示すように磁石４８を有する取り付け部４３の上部及び下部に略瓢箪型切り欠き部４５，４５に形成すれば、磁気吸着、引っ掛け、吸着の３種類の取り付け構造を実施することもできる。なお、この略瓢箪型切り欠き部４５は同一のボックス用ホルダを二つで一対の使用を前提として上部及び下部に夫々設けたが、異なるボックス用ホルダで一対を構成する場合は、上部１箇所で行ってよいことは自明である。
【００２４】
本発明は、ティッシュボックスに使用することを主体に説明したが、それ以外でも、側面に孔部が形成された或いは形成することのできるボックスであれば良く、同様な構成から成るティッシュ以外の収納品用のボックス、薄板樹脂を紙同様に仕上げたボックス等、各種のボックスに使用することができる。
【００２５】
【発明の効果】
本発明は、ティッシュボックス等のボックスの側面に形成された一つ毎の解体用切り込み部に取り付けるボックス用ホルダとしたため、取り付け作業がしやすく、取り付けも確実にできるため安定した取り付け強度を得ることができる。
従って、小型のボックスには一つの解体用切り込み部だけで対応することができる。また、ボックスの両側に設けられた解体用切り込み部を利用する場合でも、夫々の側面に一対のボックス用ホルダを取り付ければよいことになるため、ティッシュボックス等の長手方向全体を覆う長さは必要では無く、ボックス用ホルダを小型化させる利点がある。
【図面の簡単な説明】
【図１】本発明による第１の実施例における斜視図を表す。
【図２】本発明による第１の実施例における縦中央断面図を表す。
【図３】本発明による第１の実施例におけるティッシュボックスに対するボックス用ホルダの取り付け前の斜視図を示す。
【図４】本発明による第１の実施例におけるティッシュボックスに対するボックス用ホルダの取り付け完了状態を表す斜視図を示す。
【図５】本発明による第１の実施例におけるティッシュボックスに対するボックス用ホルダの取り付け状態を表すＡ−Ａ拡大断面図を示す。
【図６】本発明による第１の実施例における斜視図を表し、（ａ）は側方に側壁部を配置し後方に磁石を立てた状態、（ｂ）は（ａ）における磁石の配置方向を変えずに１８０度回転させた場合を示す。
【図７】本発明による第１の実施例におけるティッシュボックス両側に対するボックス用ホルダの取り付け完了状態を、ティッシュボックス表面側から見た斜視図を示す。
【図８】本発明による第１の実施例におけるティッシュボックス両側に対するボックス用ホルダの取り付け完了状態を、ティッシュボックス裏面側から見た斜視図を示す。
【図９】本発明による第２の実施例における斜視図示す。
【図１０】本発明による第３の実施例における斜視図示す。
【図１１】本発明による取り付け構造の変形例を表し、（ａ）は切り欠き部形状を表す取り付け部の略図、（ｂ）は吸盤の斜視図、（ｃ）は吸盤取り付け状態の中央断面図を示す。
【図１２】本発明による取り付け構造の他の変形例を表す、取り付け部の正面図を示す。
【符号の説明】
Ｔ　ティッシュボックス
Ｄ　上折り返し面
Ｅ　下折り返し面
ｋ　解体用切り込み
Ｌ　上壁
Ｍ　下壁
Ｐ　ティッシュ取り出し口
１、１´、１１、２１　ボックス用ホルダ
２、１２、２２　側壁部
３、１３、２３、３３、４３　取り付け部
４　切り欠き部
５　弾性舌片
６　凹部
７　ガタツキ防止突起
８、４８　磁石
１９　ヒンジ
１９ａ　ヒンジ溝
２９　蝶板構造
２９ａ　回転ピン部
３４　切り欠き部
３５、４５　略瓢箪型切り欠き部
３６　吸盤


【手続補正２】
【補正対象書類名】図面
【補正対象項目名】図１
【補正方法】変更
【補正の内容】
【図１】
2004097353.tif 000015
【手続補正３】
【補正対象書類名】図面
【補正対象項目名】図３
【補正方法】変更
【補正の内容】
【図３】
2004097353.tif 000016
【手続補正４】
【補正対象書類名】図面
【補正対象項目名】図４
【補正方法】変更
【補正の内容】
【図４】
2004097353.tif 000017